(57)【要約】【課題】  携帯端末の縦置きが可能なベッドのヘッドボードを提供する。【解決手段】  ベッド１のヘッドボード２０は、上段板２１と、下段板２２と、上段板の前面に設けられ、互いに離間する第１及び第２の前面板２３ａ、２３ｂと、上段板及び下段板の背面及び側面に設けられた背面板２４及び側面板２５と、下段板２２に設けられたコンセント２７とを具備する。上段板は、第１及び第２の前面板の間の隙間に、第１及び第２の前面板から離れる方向に窪む溝３１を有し、第１及び第２の前面板の上面は、上段板の上面よりも突出している。【選択図】  図２
0003223472.tif 000002
【実用新案登録請求の範囲】
【請求項１】
上段板と、
前記上段板よりも下方に位置する下段板と、
前記上段板の前面に設けられ、互いに離間する第１及び第２の前面板と、
前記上段板及び前記下段板の背面に設けられた背面板と、
前記上段板及び前記下段板の側面に設けられた側面板と、
前記下段板、前記上段板より下方に位置する前記背面板、及び前記上段板より下方に位置する前記側面板のいずれかに設けられたコンセントと
を具備し、
前記上段板は、前記第１及び第２の前面板の間の隙間に、前記第１及び第２の前面板から離れる方向に窪む溝を有し、
前記第１及び第２の前面板の上面は、前記上段板の上面よりも突出しているベッドのヘッドボード。
【請求項２】
前記溝の開口幅は、前記隙間の幅より大きいことを特徴とする請求項１に記載のベッドのヘッドボード。
【請求項３】
前記背面板の上面は、前記第１及び第２の前面板の前記上面より突出していることを特徴とする請求項１に記載のベッドのヘッドボード。
【請求項４】
前記第１及び第２の前面板の下面は、前記上段板の下面よりも突出していることを特徴とする請求項１に記載のベッドのヘッドボード。
【考案の詳細な説明】
【技術分野】
【０００１】
本考案は、携帯端末の縦置きが可能なベッドのヘッドボードに関する。
【背景技術】
【０００２】
従来から、頭部側にヘッドボードを備えたベッドが提案されている。ヘッドボードは、ベッドのデザイン性を高めたり、背もたれとして使用できたりする。また、ヘッドボードには、棚、コンセント、ライト、小物入れ等がついている場合もある。棚付きのヘッドボードは、携帯電話、目覚まし時計、メガネ等の置き場所として利用されている。
【０００３】
例えば、特許文献１におけるベッドのヘッドボードは、携帯電話等を置くための収容部２０Ｌを備えている。この収容部２０Ｌには、背面版２６にコンセント２９が設けられている。このため、携帯電話の充電用コード等のプラグをコンセント２９に差し込んだ状態で、収容部２０Ｌに携帯電話等が収容可能となっている。
【０００４】
ここで、携帯電話等をコンセントにつないだ状態でヘッドボードに置く場合、携帯電話は、充電用コードの差込口が載置面に当たらないように横に倒して置かれる。携帯電話に充電用コードを差し込んでいる場合、差込口から充電用コードが突出しており、携帯電話の差込口の面を下にして立てることが難しいからである。
【先行技術文献】
【特許文献】
【０００５】
【特許文献１】特開２０１８−１９１７７２号公報
【考案の概要】
【考案が解決しようとする課題】
【０００６】
従来のようなベッドのヘッドボードにおいて、充電中の携帯電話等の携帯端末を背面が載置台に接するように倒して置く場合、携帯端末から発生する熱が背面にこもるため、熱を逃がし難くなり、携帯端末の故障の原因につながる可能性がある。
また、携帯端末の使用にあたり、携帯端末の差込口を載置台に向けて立てた状態（以下、携帯端末の縦置きと称す）で使用することが望まれる場合がある。
本考案は、携帯端末の縦置きが可能なベッドのヘッドボードを提供する。
【課題を解決するための手段】
【０００７】
本考案の一態様によるベッドのヘッドボードは、上段板と、前記上段板よりも下方に位置する下段板と、前記上段板の前面に設けられ、互いに離間する第１及び第２の前面板と、前記上段板及び前記下段板の背面に設けられた背面板と、前記上段板及び前記下段板の側面に設けられた側面板と、前記下段板、前記上段板より下方に位置する前記背面板、及び前記上段板より下方に位置する前記側面板のいずれかに設けられたコンセントとを具備し、前記上段板は、前記第１及び第２の前面板の間の隙間に、前記第１及び第２の前面板から離れる方向に窪む溝を有し、前記第１及び第２の前面板の上面は、前記上段板の上面よりも突出している。
【０００８】
上記本考案の一態様によるベッドのヘッドボードにおいて、前記溝の開口幅は、前記隙間の幅より大きくてもよい。
【０００９】
上記本考案の一態様によるベッドのヘッドボードにおいて、前記背面板の上面は、前記第１及び第２の前面板の前記上面より突出していてもよい。
【００１０】
上記本考案の一態様によるベッドのヘッドボードにおいて、前記第１及び第２の前面板の下面は、前記上段板の下面よりも突出していてもよい。
【考案の効果】
【００１１】
本考案によれば、携帯端末の縦置きが可能なベッドのヘッドボードを提供できる。
【図面の簡単な説明】
【００１２】
【図１】本考案の一実施形態に係るベッドを示す斜視図である。
【図２】本考案の一実施形態に係るベッドのヘッドボードを示す前面図、上面図、拡大図及び側面図である。
【図３】本考案の一実施形態に係るベッドのヘッドボードに携帯端末を配置した状態を示す前面図である。
【図４】本考案の一実施形態に係るベッドのヘッドボードに携帯端末を配置した状態を示す側面図である。
【考案を実施するための形態】
【００１３】
以下、実施の形態について、図面を参照して説明する。この説明に際し、全図にわたり、共通する部分には共通する参照符号を付す。
【００１４】
図１は、本考案の一実施形態に係るベッドを示す斜視図である。図１を用いて、本考案の一実施形態に係るベッド及びヘッドボードの概要について説明する。
【００１５】
図１に示すように、本実施形態のベッド１は、ベッド本体１０と、ヘッドボード２０とで構成されている。
ベッド本体１０は、マットレス１１、フレーム（図示せず）、床板（図示せず）等を備えている。
【００１６】
ヘッドボード２０は、上段板２１、下段板２２、上部前面板２３、背面板２４、側面板２５、下部前面板２６、コンセント２７を備えている。
本実施形態のヘッドボード２０は、上段板２１及び下段板２２の２段の棚を有している。但し、棚の段数は３段以上でもよい。下段板２２は、上段板２１の下方に位置している。
【００１７】
上部前面板２３は、上段板２１の前面に設けられている。上部前面板２３は、互いに離間する複数の上部前面板２３ａ、２３ｂ、２３ｃで構成されている。上部前面板２３ａ及び２３ｂの間、上部前面板２３ｂ及び２３ｃの間には、隙間３０が形成されている。
【００１８】
背面板２４は、上段板２１及び下段板２２の背面に設けられている。側面板２５は、上段板２１及び下段板２２の側面に設けられている。
下部前面板２６は、下段板２２の上面より下方に設けられている。下部前面板２６は、ベッド本体１０に取り付けられている。
【００１９】
コンセント２７は、下段板２２に設けられている。尚、コンセント２７は、図示する位置に限定されず、上段板２１の上面よりも下方に位置する場所であればよい。例えば、コンセント２７は、上段板２１より下方に位置する背面板２４や、上段板２１より下方に位置する側面板２５に設けられてもよい。
【００２０】
尚、本実施形態のヘッドボード２０は、上述する構成に限定されず、照明用ライト等が設けられてもよい。
【００２１】
図２（ａ）乃至（ｄ）は、本考案の一実施形態に係るベッドのヘッドボードを示す前面図、上面図、拡大図及び側面図である。図２（ａ）乃至（ｄ）を用いて、本考案の一実施形態に係るヘッドボードの詳細について説明する。
【００２２】
図２（ａ）に示すように、上部前面板２３は、複数（本図では３つ）に分割されており、上部前面板２３ａ及び２３ｂの間、上部前面板２３ｂ及び２３ｃの間に隙間３０が形成されている。ここで、本図では、上部前面板２３の隙間３０は、２つ設けられているが、これに限定されない。上部前面板２３を４つ以上に分割することで、隙間３０を３つ以上設けることも可能である。
隙間３０は、上部前面板２３の上面から下面まで、一定の同じ幅となっているが、これに限定されない。例えば、上部前面板２３の上面側における隙間３０の幅が、上部前面板２３の下面側における隙間３０の幅より大きい等、異なってもよい。また、上部前面板２３の複数の隙間３０の形状、幅等は、同じでも、異なってもよい。
【００２３】
図２（ｂ）及び（ｃ）に示すように、上段板２１は、上部前面板２３の隙間３０において、上部前面板２３から離れる方向（背面板２４に向かう方向）に窪む溝３１を有している。溝３１の開口幅Ａは、上部前面板２３の隙間３０の幅Ｂと同じでも異なってもよいが、隙間３０の幅Ｂより大きいことが望ましい。溝３１の形状は、例えば半円であるが、これに限定されず、例えば四角形等でもよい。
【００２４】
図２（ｄ）に示すように、上部前面板２３は、上面が上段板２１の上面よりも突出する突出部３２、下面が上段板２１の下面よりも突出する突出部３３を有している。本図では、突出部３３は、上部前面板２３に対して突出部３２よりも突出しているが、これに限定されない。
尚、複数の上部前面板２３ａ、２３ｂ、２３ｃの上面は、同じ高さでもよいし、異なる高さでもよい。複数の上部前面板２３ａ、２３ｂ、２３ｃの下面は、同じ高さでもよいし、異なる高さでもよい。
【００２５】
背面板２４の上面は、上段板２１の上面より高いことが望ましい。背面板２４の上面は、上部前面板２３の上面より高いことが望ましい。
側面板２５は、上段板２１よりも下方に設けられている、但し、側面板２５は、上段板２１より突出してもよい。
下部前面板２６の上面は、下段板２２の上面と同じ高さであるが、これに限定されない。例えば、下部前面板２６の上面は、下段板２２の上面より上に位置してもよい。つまり、下部前面板２６の上面が下段板２２の上面より突出してもよい。
【００２６】
図３及び図４は、本考案の一実施形態に係るベッドのヘッドボードに携帯端末を配置した状態を示す前面図及び側面図である。図３及び図４を用いて、本考案の一実施形態に係るヘッドボードに携帯端末を配置した場合について説明する。
【００２７】
図３及び図４に示すように、本実施形態では、携帯電話やタブレット等の携帯端末４０をコンセント２７につないだ状態（充電中の状態）でヘッドボード２０に置く場合、携帯端末４０を立てて置くことが可能である。つまり、携帯端末４０を、充電用コード４２の差込口４１を上段板２１の上面と対向するように、ヘッドボード２０の上段板２１に置くことが可能である。
【００２８】
例えば、充電用コード４２の一端のプラグ４３は、ヘッドボード２０のコンセント２７に差し込まれ、充電用コード４２の他端の端子は、携帯端末４０の差込口４１に差し込まれる。このような充電中の携帯端末４０は、隙間３０及び溝３１に充電用コード４２を通して、上段板２１に置かれる。
【００２９】
この際、携帯端末４０の下端部は、上部前面板２３の突出部３２に引っ掛けられ、携帯端末４０の背面は、背面板２４で支えられている。そして、携帯端末４０の差込口４１に差し込まれた充電用コード４２は、隙間３０及び溝３１に入ることで、携帯端末４０の縦置きが可能となっている。
【００３０】
以上のように、本考案の一実施形態によるベッド１のヘッドボード２０では、上部前面板２３を上段板２１から上方に突出する突出部３２を有するように設け、この上部前面板２３を複数に分割して隙間３０を形成し、この隙間３０付近の上段板３２に溝３１を設けている。
従って、下段板２２のコンセント２７を用いて充電している携帯端末４０を上段板２１に置く場合、充電用コード４２を隙間３０及び溝３１にはめることができる。このため、ヘッドボード２０に充電中の携帯端末４０をスムーズに縦置き（差込口４１を上段板２１と対向するように配置）することができる。
【００３１】
さらに、本実施形態によれば、携帯端末４０の下端部を上部前面板２３の突出部３２に引っ掛け、携帯端末４０の背面の一部を背面板２４で支えるような状態で、携帯端末４０をヘッドボード２０に置くことができる。従って、携帯端末４０の下端部と背面の一部しかヘッドボード２０に接しないため、携帯端末４０がヘッドボード２０に接する面積を最小限に抑えることができる。このため、充電等によって携帯端末４０から発生する熱を逃がし易くなり、発熱による携帯端末４０の故障を抑制することができる。
【００３２】
尚、本考案の一実施形態を説明したが、この実施形態は、例として提示したものであり、考案の範囲を限定することは意図していない。この実施形態は、考案の要旨を逸脱しない範囲で種々変更可能である。
【符号の説明】
【００３３】
１    ベッド
１０  ベッド本体
１１  マットレス
２０  ヘッドボード
２１  上段板
２２  下段板
２３  上部前面板
２４  背面板
２５  側面板
２６  下部前面板
２７  コンセント
３０  隙間
３１  溝
３２  突出部
３３  突出部
４０  携帯端末
４１  差込口
４２  充電用コード
４３  プラグ
【図１】
0003223472.tif 000003
【図２】
0003223472.tif 000004
【図３】
0003223472.tif 000005
【図４】
0003223472.tif 000006